(57)【特許請求の範囲】
【請求項１】
排気系路の末端に備えられて排気ガスを車外へ放出するテールパイプの水侵入防止構造であって、前記テールパイプに湾曲形状を付し且つその湾曲部位の曲がり方向外側の内周面に該内周面から排気ガスの流れ方向下流側に向け徐々に離間するように隔壁を設け、該隔壁と前記湾曲部位の曲がり方向外側の内周面との間に袋小路部を画成し、袋小路部の画成位置における隔壁が無い状態での流路断面積が湾曲部位の上流側の流路断面積よりも大きくなるように該湾曲部位の曲がり方向外側を膨出させたことを特徴とするテールパイプの水侵入防止構造。
【請求項２】
隔壁により狭められる流路断面積をテールパイプの出口の開口断面積以上に確保したことを特徴とする請求項１に記載のテールパイプの水侵入防止構造。
【発明の詳細な説明】
【技術分野】
【０００１】
本発明は、テールパイプの水侵入防止構造に関するものである。
【背景技術】
【０００２】
近年、排気管の途中に排気ガス中のパティキュレートを捕集するパティキュレートフィルタを備えると共に、該パティキュレートフィルタの下流側に酸素共存下でも選択的にＮＯxをアンモニアと反応させ得る選択還元型触媒を備え、該選択還元型触媒と前記パティキュレートフィルタとの間に還元剤として尿素水を添加してパティキュレートとＮＯxの同時低減を図ることが行われている。
【０００３】
このようにする場合、選択還元型触媒への尿素水の添加がパティキュレートフィルタと選択還元型触媒との間で行われることになるため、排気ガス中に添加された尿素水がアンモニアと炭酸ガスに熱分解されるまでの十分な反応時間を確保しようとすれば、尿素水の添加位置から選択還元型触媒までの距離を長くする必要があるが、パティキュレートフィルタと選択還元型触媒とを十分な距離を隔てて離間配置させてしまうと、車両への搭載性が著しく損なわれるという不具合がある。
【０００４】
そこで、パティキュレートフィルタと選択還元型触媒とを並列に配置し、パティキュレートフィルタの出側端部と選択還元型触媒の入側端部との間をＳ字構造の連絡流路により接続し、パティキュレートフィルタの出側端部から排出された排気ガスが逆向きに折り返されて隣の選択還元型触媒の入側端部に導入されるようにしたコンパクトな排気浄化装置が本発明の出願人により創案されている。
【０００５】
斯かる排気浄化装置にあっては、マフラを兼ねたケーシングによりパティキュレートフィルタと選択還元型触媒の夫々が抱持されるようになっており、パティキュレートフィルタの下流側に配置される選択還元型触媒の出側端部には、浄化済みの排気ガスを車外へ放出するためのテールパイプが装備されている。
【０００６】
そして、近年においては、排気浄化装置における故障発生の有無を監視し、故障発生時には警告灯等を点灯させて運転者に故障の発生を報知すると共に、故障内容を記録しておく車載式故障診断装置（オンボードダイアグノーシス：onboard diagnosis:略称ＯＢＤ）の装備が各国で義務付けられており、図５〜図７に示す如く、この種のテールパイプ１の奥まった位置には、例えば、ＰＭ（Particulate Matter：粒子状物質）濃度を検出するセンサ２が装備され、パティキュレートの適切な低減が図られているか否かが確認できるようになっている。
【０００７】
尚、この種のテールパイプに関連する先行技術文献情報としては下記の特許文献１等がある。
【先行技術文献】
【特許文献】
【０００８】
【特許文献１】特開２００９−１２１３１０号公報
【発明の概要】
【発明が解決しようとする課題】
【０００９】
しかしながら、前述の如きＰＭ濃度を検出するセンサ２は、極めて脆弱な精密機器であるため、車体の高圧洗浄時に洗浄水がテールパイプ１内に侵入して水しぶきがかかったりするだけで壊れてしまうことがあり、特にエンジン停止したばかりでセンサ２が高温状態にある時に冷たい水がかかると、急激な熱収縮により簡単に損傷してしまうことが知られている。
【００１０】
ここで、既存の一般的なテールパイプ１には、排気ガス３が放出される出口４に向けて車外から高圧の洗浄水が吹き付けられても、直接的な水撃が奥まで及ばないよう湾曲形状が採用されているが、テールパイプ１内に洗浄水が侵入した時の勢いが強ければ、該テールパイプ１の湾曲部位１ａに沿い洗浄水の流れも曲がって奥まで到達し、その水しぶきがセンサ２にかかってしまう虞れが依然として残っていた。
【００１１】
また、パンチングを施した多孔の被水防止カバーをセンサ２の検出子に被せて該センサ２を水しぶきから保護することも提案されているが、このようにした場合には、センサ２の検出に関する応答性が前記被水防止カバーにより阻害される虞れがあった。
【００１２】
本発明は上述の実情に鑑みてなしたもので、車体の高圧洗浄時に洗浄水がテールパイプの奥まった位置まで侵入してしまうことを確実に阻止し得るテールパイプの水侵入防止構造を提供することを目的とする。
【課題を解決するための手段】
【００１３】
本発明は、排気系路の末端に備えられて排気ガスを車外へ放出するテールパイプの水侵入防止構造であって、前記テールパイプに湾曲形状を付し且つその湾曲部位の曲がり方向外側の内周面に該内周面から排気ガスの流れ方向下流側に向け徐々に離間するように隔壁を設け、該隔壁と前記湾曲部位の曲がり方向外側の内周面との間に袋小路部を画成し、袋小路部の画成位置における隔壁が無い状態での流路断面積が湾曲部位の上流側の流路断面積よりも大きくなるように該湾曲部位の曲がり方向外側を膨出させたことを特徴とするものである。
【００１４】
而して、このようにすれば、車体の高圧洗浄時に洗浄水がテールパイプの出口に向けて吹き付けられても、その出口から直線的に侵入した洗浄水がテールパイプの湾曲部位にて曲がり方向外側の内周面に沿って流れ、隔壁により画成された袋小路部に突き当たって堰き止められ、しかも、その衝突時の水しぶきも隔壁が覆い被さるようにして跳ね返されるので、車体の高圧洗浄時に洗浄水がテールパイプの奥まった位置まで侵入してしまうことを阻止することが可能となる。
【００１５】
尚、テールパイプ内における隔壁は、湾曲部位の曲がり方向外側の内周面に対し排気ガスの流れ方向下流側に向け徐々に離間するように配置されているので、排気ガスの流れを前記湾曲部位の曲がり方向へ無理なく円滑に案内することが可能であり、排気ガスの流れに対し過剰な圧力損失を与える虞れを未然に防ぐことが可能となる。
【００１６】
また、本発明においては、袋小路部の画成位置における隔壁が無い状態での流路断面積が湾曲部位の上流側の流路断面積よりも大きくなるように該湾曲部位の曲がり方向外側を膨出させているので、隔壁を付設してもテールパイプの流路断面積を過剰に狭めなくて済み、しかも、洗浄水の侵入を堰き止めるための袋小路部の間口を大きく確保することが可能となる。
【００１７】
更に、本発明においては、隔壁により狭められる流路断面積をテールパイプの出口の開口断面積以上に確保しておくことが好ましく、このようにすれば、隔壁の付設が排気ガスの流れに及ぼす圧力損失を大幅に抑制することが可能となる。
【発明の効果】
【００１８】
上記した本発明のテールパイプの水侵入防止構造によれば、下記の如き種々の優れた効果を奏し得る。
【００１９】
（Ｉ）本発明の請求項１に記載の発明によれば、車体の高圧洗浄時に洗浄水がテールパイプの奥まった位置まで侵入してしまうことを阻止することができるので、テールパイプの湾曲部位より上流側にセンサを配置しておけば、このセンサを洗浄水から保護することができ、しかも、被水防止カバーをセンサの検出子に被せなくても済むことによりセンサの検出に関する応答性も高く維持することができる。
【００２０】
（ＩＩ）本発明の請求項１に記載の発明によれば、袋小路部の画成位置における隔壁が無い状態での流路断面積が湾曲部位の上流側の流路断面積よりも大きくなるように該湾曲部位の曲がり方向外側を膨出させているので、テールパイプの流路断面積が隔壁の付設により過剰に狭められて圧力損失の大幅な増加を招く虞れを未然に回避することができ、しかも、袋小路部の間口を大きくして洗浄水の侵入をより確実に堰き止めることもできる。
【００２１】
（ＩＩＩ）本発明の請求項２に記載の発明によれば、隔壁により狭められる流路断面積をテールパイプの出口の開口断面積以上に確保したことにより、隔壁の付設が排気ガスの流れに及ぼす圧力損失を大幅に抑制することができ、隔壁を付設しても従前通りの排気性能を維持することができる。
【図面の簡単な説明】
【００２２】
【図１】本発明を実施する形態の一例を示す斜視図である。
【図２】図１のテールパイプの正面図である。
【図３】図２のＩＩＩ−ＩＩＩ方向の矢視図である。
【図４】図２のＩＶ−ＩＶ矢視の断面図である。
【図５】従来例を示す斜視図である。
【図６】図５のテールパイプの正面図である。
【図７】図６のＶＩＩ−ＶＩＩ方向の矢視図である。
【発明を実施するための形態】
【００２３】
以下本発明の実施の形態を図面を参照しつつ説明する。
【００２４】
図１〜図４は本発明を実施する形態の一例を示すもので、図５〜図７と同一の符号を付した部分は同一物を表わしており、ここに図示している例においては、先の図５〜図７の従来例と同様に、車体の高圧洗浄時に直接的な水撃が奥まで及ばないよう湾曲形状が採用されているが、その湾曲部位１ａの曲がり方向外側の内周面において、該内周面から排気ガス３の流れ方向下流側に向け徐々に離間するように隔壁５が設けられており、該隔壁５と前記湾曲部位１ａの曲がり方向外側の内周面との間に袋小路部６が画成されるようになっている。
【００２５】
この際、前記袋小路部６の画成位置における隔壁５が無い状態での流路断面積が前記湾曲部位１ａの上流側の流路断面積よりも大きくなるように該湾曲部位１ａの曲がり方向外側が膨出されており、特に本形態例の場合は、従来のテールパイプ１（図５〜図７参照）の湾曲部位１ａにおける曲がり方向外側の外形に沿うような配置で隔壁５が設けられ、該隔壁５より前記曲がり方向外側へ膨出した部分で前記袋小路部６が画成されるようになっている。
【００２６】
尚、前記隔壁５により狭められる流路断面積は、テールパイプ１の出口４の開口断面積以上に確保されるようになっており、本形態例の場合は、隔壁５を付設しても実質的に先の図５〜図７の従来例と殆ど変わらない流路空間が確保されるようになっている。
【００２７】
また、テールパイプ１の湾曲部位１ａより上流側の奥まった位置には、ＰＭ（Particulate Matter：粒子状物質）濃度を検出するセンサ２が装備され、図示しない更に上流側のパティキュレートフィルタによりパティキュレートの適切な低減が図られているか否かが確認できるようにしてある。
【００２８】
而して、このようにすれば、図３及び図４に矢印Ｗで示す如く、車体の高圧洗浄時に洗浄水がテールパイプ１の出口４に向けて吹き付けられても、その出口４から直線的に侵入した洗浄水がテールパイプ１の湾曲部位１ａにて曲がり方向外側の内周面に沿って流れ、隔壁５により画成された袋小路部６に突き当たって堰き止められ、しかも、その衝突時の水しぶきも隔壁５が覆い被さるようにして跳ね返されるので、車体の高圧洗浄時に洗浄水がテールパイプ１の奥まった位置まで侵入してしまうことを阻止することが可能となる。
【００２９】
ここで、テールパイプ１内における隔壁５は、湾曲部位１ａの曲がり方向外側の内周面に対し排気ガス３の流れ方向下流側に向け徐々に離間するように配置されているので、排気ガス３の流れを前記湾曲部位１ａの曲がり方向へ無理なく円滑に案内することが可能であり、排気ガス３の流れに対し過剰な圧力損失を与える虞れを未然に防ぐことが可能となる。
【００３０】
また、特に本形態例においては、袋小路部６の画成位置における隔壁５が無い状態での流路断面積が湾曲部位１ａの上流側の流路断面積よりも大きくなるように該湾曲部位１ａの曲がり方向外側を膨出させてあるので、隔壁５を付設してもテールパイプ１の流路断面積を過剰に狭めなくて済み、しかも、洗浄水の侵入を堰き止めるための袋小路部６の間口を大きく確保することが可能となり、更には、隔壁５により狭められる流路断面積をテールパイプ１の出口４の開口断面積以上に確保してあるので、隔壁５の付設が排気ガス３の流れに及ぼす圧力損失を大幅に抑制することが可能となる。
【００３１】
従って、上記形態例によれば、車体の高圧洗浄時に洗浄水がテールパイプ１の奥まった位置まで侵入してしまうことを阻止することができるので、テールパイプ１の湾曲部位１ａより上流側にセンサ２を配置しておけば、このセンサ２を洗浄水から保護することができ、しかも、被水防止カバーをセンサ２の検出子に被せなくても済むことによりセンサ２の検出に関する応答性も高く維持することができる。
【００３２】
また、袋小路部６の画成位置における隔壁５が無い状態での流路断面積が湾曲部位１ａの上流側の流路断面積よりも大きくなるように該湾曲部位１ａの曲がり方向外側を膨出させているので、テールパイプ１の流路断面積が隔壁５の付設により過剰に狭められて圧力損失の大幅な増加を招く虞れを未然に回避することができ、しかも、袋小路部６の間口を大きくして洗浄水の侵入をより確実に堰き止めることもできる。
【００３３】
更に、隔壁５により狭められる流路断面積をテールパイプ１の出口４の開口断面積以上に確保したことにより、隔壁５の付設が排気ガス３の流れに及ぼす圧力損失を大幅に抑制することができ、隔壁５を付設しても従前通りの排気性能を維持することができる。
【００３４】
尚、本発明のテールパイプの水侵入防止構造は、上述の形態例にのみ限定されるものではなく、テールパイプの上流側に搭載される排気浄化装置の構成は、必ずしもパティキュレートフィルタと選択還元型触媒とを並列に配置した構成に限定されないこと、また、テールパイプに装備されるセンサはＰＭセンサに限定されないこと、その他、本発明の要旨を逸脱しない範囲内において種々変更を加え得ることは勿論である。
【符号の説明】
【００３５】
１      テールパイプ
１ａ    湾曲部位
３      排気ガス
４      出口
５      隔壁
６      袋小路部
【図１】
0006453084.tif 000002
【図２】
0006453084.tif 000003
【図３】
0006453084.tif 000004
【図４】
0006453084.tif 000005
【図５】
0006453084.tif 000006
【図６】
0006453084.tif 000007
【図７】
0006453084.tif 000008